(57)【要約】【課題】本発明は、ショーケース本体から発生した多量のドレンをドレンタンクに回収する前段階で蒸発処理し、しかも、そのドレンを蒸発させる消費電力量も低減させることのできるショーケースを提供することにある。【解決手段】  上記目的を達成するために、本発明は、ショーケース本体底面の排水口から流れ出るドレンを回収し、オーバーフロー用の排水口と蒸発シートとを備えた一次蒸発皿と、該一次蒸発皿の排水口からオーバーフローしたドレンを回収し、オーバーフロー用の排水口を備えた二次蒸発皿と、該二次蒸発皿の排水口からオーバーフローしたドレンを回収するドレンタンクと、前記一次蒸発皿の蒸発シートに風を吹き付けて蒸発を促進させるドレン蒸発ファンと、前記二次蒸発皿内に設けられ、該二次蒸発皿のドレンの水位を検知する水位検知スイッチとを備え、前記水位検知スイッチにより前記二次蒸発皿内のドレンの所定水位を検知した際に前記ドレン蒸発ファンを駆動する。【選択図】図２
2010065955.tif 000002
【特許請求の範囲】
【請求項１】
ショーケース本体底面の排水口から流れ出るドレンを回収し、オーバーフロー用の排水口と蒸発シートとを備えた一次蒸発皿と、該一次蒸発皿の排水口からオーバーフローしたドレンを回収し、オーバーフロー用の排水口を備えた二次蒸発皿と、該二次蒸発皿の排水口からオーバーフローしたドレンを回収するドレンタンクと、前記一次蒸発皿の蒸発シートに風を吹き付けて蒸発を促進させるドレン蒸発ファンと、前記二次蒸発皿内に設けられ、該二次蒸発皿のドレンの水位を検知する水位検知スイッチとを備え、前記水位検知スイッチにより前記二次蒸発皿内のドレンの所定水位を検知した際に前記ドレン蒸発ファンを駆動することを特徴とするショーケース。
【請求項２】
請求項１に記載のショーケースにおいて、前記二次蒸発皿の上面側には下端を皿内に溜まったドレンに浸漬させた複数枚の下蒸発シートを備えたことを特徴とするショーケース。
【請求項３】
請求項１または２に記載のショーケースにおいて、前記ドレン蒸発ファンは、前記水位検知スイッチによるドレンの所定水位を検知しない状態なると停止することを特徴とするショーケース。
【請求項４】
請求項１ないし３のいずれかの１項に記載のショーケースにおいて、前記水位検知スイッチは、前記二次蒸発皿の排水口よりも低い位置にてドレンの所定水位を検知する位置に取付けられていることを特徴とするショーケース。
【発明の詳細な説明】
【技術分野】
【０００１】
本発明は、ショーケース本体の基台内部にドレンの蒸発皿を内蔵し、この蒸発皿にてドレンを蒸発するようにしたショーケースに関する。
【背景技術】
【０００２】
周知のように、冷蔵・冷凍ショーケースは保冷運転に伴って庫内に配した冷却器に霜が発生することから、１日に約１２回程度除霜を行って冷却器に付着している霜を溶かし、除霜により生成したドレン水をショーケース本体から排出して処理するようにしている。
【０００３】
この場合に、ショーケースの基台内部に可搬式のドレンタンクを搭載し、このドレンタンクの上方位置には蒸発皿を設置し、ここにショーケース本体からのドレンを導き、さらに蒸発皿の上面側には下端を蒸発皿に溜まったドレンに浸漬させて多数枚の蒸発マットが平行に並べて直立姿勢に布設されている。この蒸発マットは吸水性の高い紙，ないし布製のマットであり、直立姿勢に保持するようにしている。この蒸発皿にはドレンタンクに向けてオーバーフロー排水口を開口している。
【０００４】
この蒸発皿の上面側で左右平行して並べて直立姿勢に布設した多数枚の蒸発マットに対して、蒸発皿の背後に送風ファンを配備し、ファンから吹き出した風を蒸発マットのマット面に沿って吹き付けるようにしている。
【０００５】
かかる構成で、除霜に伴ってケースに生じたドレンは、蒸発皿に回収されてその底部に溜まるとともに、ドレンの一部は毛細管作用により蒸発マットに吸い上げられ、液面上に露呈しているマット面から蒸発して周囲に放散するとともに、ファンから吹き出した風を蒸発マットのマット面に沿って吹き付けることにより、蒸発マットに吸い上げられたドレンの蒸発が促進、蒸発マットで吸い上げ切れない余剰のドレンはオーバーフロー排水口からドレンタンクの中に流下して回収される（特許文献１参照）。
【特許文献１】特開平１０−２８１６２７号公報
【発明の開示】
【発明が解決しようとする課題】
【０００６】
ところで、前記のように送風ファンを連続運転していると、省エネルギの観点並びにファンの寿命を考慮すると問題であるが、仮に送風ファンを無くしてしまうと多湿時のドレン量増加に対応できず、ドレンの蒸発量が減り、ドレンタンクの処理回数が増えてしまい、従業員の負担が大きくなることから、その改善策が強く要望されている。
【０００７】
本発明は上記の点に鑑みなされものであり、ショーケース本体から発生した多量のドレンをドレンタンクに回収する前段階で蒸発処理し、しかも、そのドレンを蒸発させる消費電力量も低減させることのできるショーケースを提供することを目的とする。
【課題を解決するための手段】
【０００８】
上記目的を達成するために、本発明は、ショーケース本体底面の排水口から流れ出るドレンを回収し、オーバーフロー用の排水口と蒸発シートとを備えた一次蒸発皿と、該一次蒸発皿の排水口からオーバーフローしたドレンを回収し、オーバーフロー用の排水口を備えた二次蒸発皿と、該二次蒸発皿の排水口からオーバーフローしたドレンを回収するドレンタンクと、前記一次蒸発皿の蒸発シートに風を吹き付けて蒸発を促進させるドレン蒸発ファンと、前記二次蒸発皿内に設けられ、該二次蒸発皿のドレンの水位を検知する水位検知スイッチとを備え、前記水位検知スイッチにより前記二次蒸発皿内のドレンの所定水位を検知した際に前記ドレン蒸発ファンを駆動することを特徴とする。
【０００９】
また、前記ショーケースにおいて、前記二次蒸発皿の上面側には下端を皿内に溜まったドレンに浸漬させた複数枚の下蒸発シートを備えることにより、ドレンの蒸発を促進する。
【００１０】
また、前記ドレン蒸発ファンは、前記水位検知スイッチによるドレンの所定水位を検知しない状態なると停止する。
また、前記水位検知スイッチは、前記二次蒸発皿の排水口よりも低い位置にてドレンの所定水位を検知する位置に取付けられている。
【発明の効果】
【００１１】
本発明によれば、蒸発シートを有する一次蒸発皿と該一次蒸発皿からオーバーフローしたドレンを回収する二次蒸発皿とを設け、前記一次蒸発皿の蒸発シートに対応する位置にドレン蒸発ファンを、前記二次蒸発皿内に水位検知スイッチをそれぞれ設けることにより、前記水位検知スイッチにより前記二次蒸発皿のドレンの所定水位を検知した際に前記ドレン蒸発ファンを駆動することにより、ドレンタンクに排水される前に出来るだけ一次蒸発皿にてドレンの蒸発を促進することが可能となり、ドレンタンクをショーケースから引出して排水する手間を無くすことができるとともに、必要なときのみ前記ドレン蒸発ファンを駆動するため、消費電力の低減にも効果がある。
【発明を実施するための最良の形態】
【００１２】
以下に添付図面を参照しながら、本発明に係るショーケースの実施の形態について説明する。
図１は、本発明の実施の形態であるショーケースの内部構造を側方から見た場合を示す側面図であり、断面Ｃ形の断熱壁を有するショーケース本体１内には、断熱壁２と庫内背面パネル３の間には循環通風路４が形成され、庫内背面パネル３の前面には商品貯蔵室５が区画されている。
【００１３】
この循環通風路４内には、冷却器６及び庫内ファン７が設置され、商品貯蔵室５の前面上部に位置する冷気吹出口８から冷気を吹き出し、前面下部に位置するリターングリル９から吸い込むように構成されている。
【００１４】
この商品貯蔵室５内には、上下４段の商品陳列棚１０が設置され、商品貯蔵室５の左右側面は、例えば透明なガラス板で形成されている。
上下４段の商品陳列棚１０は、商品貯蔵室５を２つの温度帯にて使用可能なように、図１においては、上から２段目の商品陳列棚１０の下面に中間ダクト１１が設けられ、中間ダクト１１の後端に循環通風路４を仕切るためのダンパ１１ａが設けられている。
【００１５】
次に、ショーケース本体１の断熱壁２の下部には基台２１が設けられており、該基台２１の内部には、冷凍機のコンデンシングユニット２２、ショーケース本体１の底部から基台２１の内部に引出したドレン排水口２３、ドレン排水口２３からのドレンを回収する一次蒸発皿２４、下端を一次蒸発皿２４に溜まったドレンに浸漬させ、平行に並べて直立姿勢に布設されている吸水性の高い多数枚の蒸発シート２４ａ、一次蒸発皿２４の内部に配置されるドレンオーバーフロー用の排水口２４ｂ、多湿時のドレン量増加に対応するため、一次蒸発皿２４の排水口２４ｂからオーバーフローしたドレンを回収する二次蒸発皿２５、二次蒸発皿２５の水位を検知するフロートスイッチ２５ａ、下端を二次蒸発皿２５に溜まったドレンに浸漬させ、平行に並べて直立姿勢に布設されている吸水性の高い多数枚の蒸発シート２５ｂ、二次蒸発皿２５の内部に配置されるドレンオーバーフロー用の排水口２５ｃ、二次蒸発皿２５でも回収できないドレンを回収する可搬式のドレンタンク２６、一次蒸発皿２４の上面側に突出している蒸発シート２４ａに対向する位置にドレン蒸発ファン２７が設けられている。
【００１６】
なお、二次蒸発皿２５の蒸発シート２５ａは、コンデンシングユニット２２の図示しないコンデンサファンの送風が吹き付けられてドレンを蒸発させているためドレン蒸発ファン２７は不要であり、一次蒸発皿２４は、その基台２１内の配置の関係上、コンデンサファンの送風を受けないため、ドレン蒸発ファン２７を設けてある。
【００１７】
また、フロートスイッチ２５ａの検知は、排水口２５ｃからドレンが溢れ出る前に検知できる位置に配置され、蒸発シート２５ｂの一部を切り欠いて取付けられている。
この構成において、商品貯蔵室５を冷蔵にする場合は、冷却器６及び庫内ファン７を運転し、冷却器６を通過させた庫内空気を循環通風路４を通して冷気吹出口８から吹き出し、リターングリル９から吸い込むように循環させ、また、２温度ケースとして使用したい場合は、中間ダクト１１のダンパ１１ａを循環通風路４に突出させて、中間ダクト１１の上下の商品陳列棚１０にて庫内温度を変えて異なる温度帯の商品を貯蔵できるようにする。
【００１８】
次に、ドレンの処理について説明すると、除霜に伴ってショーケース本体１に生じたドレンは、ドレン排水口２３を通じて一次蒸発皿２４に回収されてその底部に溜まるとともに、ドレンの一部は蒸発シート２４aに吸い上げられ、液面上に露呈しているシート面から蒸発して周囲に放散する。また、蒸発シート２４aで吸い上げ切れない余剰のドレンはドレンオーバーフロー用の排水口２４ｂから二次蒸発皿２５に流下して回収される。
【００１９】
この二次蒸発皿２５に溜まったドレン一部は蒸発シート２５ｂに吸い上げられ、液面上に露呈しているシート面から蒸発して周囲に放散する。また、蒸発シート２５ｂで吸い上げ切れない余剰のドレンはドレンオーバーフロー用の排水口２５ｃからドレンタンク２６に流下して回収される。
【００２０】
このドレンタンク２６にドレンが溜まった場合のみ、店員がドレンタンク２６を取り出して、捨てに行くようにしている。
ここで、本実施の形態においては、二次蒸発皿２５にフロートスイッチ２５ａが設けられているため、図２のフローチャートに示すように、二次蒸発皿２５のドレンの水位が上昇し、フロートスイッチ２５ａにて二次蒸発皿２５のドレンの所定水位を検知してオンすると（ステップＳ１，Ｙｅｓ）、ドレン蒸発ファン２７を駆動し（ステップＳ２）、ドレン蒸発ファン２７から吹き出した風を蒸発シート２４ａのシート面に沿って吹き付け、これにより、蒸発シート２４ａに吸い上げられたドレンの蒸発が促進されてその蒸発量は飛躍的に増大し、二次蒸発皿２５並びにドレンタンク２６に回収されるドレン量が減量する。
【００２１】
その後、二次蒸発皿２５のドレンの水位が下がり、フロートスイッチ２５ａがオフすると（ステップＳ３，Ｙｅｓ）、ドレン蒸発ファン２７を停止して（ステップＳ４）、強制的なドレンの蒸発促進を終了する。
【００２２】
このように、二次蒸発皿２５にフロートスイッチ２５ａを設け、このフロートスイッチ２５ａの検知することにより、ドレン蒸発ファン２７を運転することで、ドレンタンク２６にほとんどドレンが溢れ出ることがなく、また、フロートスイッチ２５ａの検知位置が排出口２５ｃより低い位置にて検知するようになっているため、ドレン蒸発ファン２７による蒸発促進とともに、ドレンタンク２６にほとんどドレンが溢れ出ることがないため、店員の作業の省力化が図れる。
【００２３】
なお、二次蒸発皿２５には、必要に応じてヒータを備えることにより、より効果的にドレンの蒸発能力を高めることも可能となる。
【図面の簡単な説明】
【００２４】
【図１】本発明の実施の形態を示すショーケースの概略側面図である。
【図２】本発明の実施の形態を示すフローチャートである。
【符号の説明】
【００２５】
１      ショーケース本体
２１      基台
２４      一次蒸発皿
２４ａ    蒸発シート
２４ｂ    排水口
２５      二次蒸発皿
２５ａ    フロートスイッチ
２５ｂ    蒸発シート
２５ｃ    排水口
２６      ドレンタンク
２７      ドレン蒸発ファン
【図１】
2010065955.tif 000003
【図２】
2010065955.tif 000004